(57)【要約】  目的のキーが選択しやすくなり、タッチ時点での確定を可能とし、ユーザーが文字入力する際の利便性が向上するとともに高速なキー入力を可能とする。タッチパネル機能付き携帯端末は、複数のキーが配列されたキーボードを画面上に表示する表示部と、表示部の画面上でユーザーが指で触った場所を特定するタッチパネル部と、タッチパネル部により特定された場所と表示部の画面上に表示されるキーボードの各キーの場所とを照合してどのキーが押されたかを判断する制御部とを有する。制御部は、表示部の画面上におけるキーボードの各キーの表示状態を、ユーザーが押す可能性が低いキーと、ユーザーが押す可能性が高いキーとで異なるように制御する。
2011118602.tif 000002
【特許請求の範囲】
【請求項１】
複数のキーが配列されたキーボードを画面上に表示する表示部と、
前記表示部の画面上でユーザーが触った場所を特定するタッチパネル部と、
前記タッチパネル部により特定される場所と前記表示部の画面上に表示されるキーボードの各キーの場所とを照合してどのキーが押されたかを判断する制御部とを有し、
前記制御部は、前記表示部の画面上における前記キーボードの各キーの表示状態を、ユーザーが押す可能性が低いキーと、ユーザーが押す可能性が高いキーとで異なるように制御することを特徴とするタッチパネル機能付き携帯端末。
【請求項２】
前記制御部は、前記表示部の画面上におけるキーボードの各キーの表示状態を、前記ユーザーが押す可能性が低いキーを所定の大きさよりも小さく表示し、前記ユーザーが押す可能性が高いキーを前記所定の大きさよりも大きく表示するように制御することを特徴とする請求項１に記載のタッチパネル機能付き携帯端末。
【請求項３】
前記制御部は、前記表示部の画面上におけるキーボードの各キーの表示状態を、前記ユーザーが押す可能性が低いキーをグレーアウト表示とし、前記ユーザーが押す可能性が高いキーを所定の大きさよりも大きく表示するように制御することを特徴とする請求項１に記載のタッチパネル機能付き携帯端末。
【請求項４】
前記制御部は、前記表示部の画面上におけるキーボードの各キーの表示状態を、前記ユーザーが押す可能性が低いキーを非表示とし、前記ユーザーが押す可能性が高いキーを所定の大きさよりも大きく表示するように制御することを特徴とする請求項１に記載のタッチパネル機能付き携帯端末。
【請求項５】
前記制御部は、前記表示部の画面上におけるキーボードの各キーの表示状態を、前記ユーザーが前記小さく表示されたキーを押したい場合に、前記表示部の画面上におけるキーボード以外の場所を触ると前記所定の大きさのキーに戻るように制御することを特徴とする請求項２に記載のタッチパネル機能付き携帯端末。
【請求項６】
前記制御部は、前記表示部の画面上におけるキーボードの各キーの表示状態を、前記ユーザーが前記グレーアウト表示されたキーを押したい場合に、前記表示部の画面上におけるキーボード以外の場所を触ると前記所定の大きさのキーに戻るように制御することを特徴とする請求項３に記載のタッチパネル機能付き携帯端末。
【請求項７】
前記制御部は、前記表示部の画面上におけるキーボードの各キーの表示状態を、前記ユーザーが前記非表示されたキーを押したい場合に、前記表示部の画面上におけるキーボード以外の場所を触ると前記所定の大きさのキーに戻るように制御することを特徴とする請求項４に記載のタッチパネル機能付き携帯端末。
【請求項８】
前記制御部は、前記表示部の画面上におけるキーボードの各キーの表示状態を、前記ユーザーが前記小さく表示されたキーを押したい場合に、前記表示部の画面上のキーボード以外の場所を触ると、これまで大きく表示してきたキーを前記所定の大きさよりも小さく表示し、これまで小さく表示してきたキーを前記所定の大きさよりも大きく表示するトグル表示を行うように制御することを特徴とする請求項２に記載のタッチパネル機能付き携帯端末。
【請求項９】
前記制御部は、前記表示部の画面上にキーボードの各キーを所定の大きさで表示すると共に、前記タッチパネル部により特定される場所と前記表示部に表示されるキーボードの各キーの場所とを照合してどのキーが押されたかを判断するためのエリア自体の大きさを、ユーザーが押す可能性が低いキーと、ユーザーが押す可能性が高いキーとで異なるように制御することを特徴とする請求項１に記載のタッチパネル機能付き携帯端末。
【請求項１０】
複数のキーが配列されたキーボードを画面上に表示する表示部と、
前記表示部の画面上でユーザーが触った場所を特定するタッチパネル部と、
前記タッチパネル部により特定された場所と前記表示部の画面上に表示されるキーボードの各キーの場所とを照合してどのキーが押されたかを判断する制御部とを有するタッチパネル機能付き携帯端末の入力方法であって、
前記制御部が、前記表示部の画面上におけるキーボードの各キーの表示状態を、ユーザーが押す可能性が低いキーと、ユーザーが押す可能性が高いキーとで異なるように制御することを特徴とするタッチパネル機能付き携帯端末の入力方法。
【発明の詳細な説明】
【技術分野】
【０００１】
本発明は、タッチパネル機能付き携帯端末及びその入力方法に係り、特にタッチパネルの画面上に表示されるキーボードを用いたタッチパネル機能付き携帯端末及びその入力方法に関する。
【背景技術】
【０００２】
近年、タッチパネル機能が搭載された携帯端末が急激に増えてきている。タッチパネルを使った操作は、これまでのボタン操作と違い人間の直感的な操作に近い動作といえるからである。【０００３】
しかしながら、ファイルを移動したり、画像を拡大縮小したりするような操作は、タッチパネルで得意とされる操作であるが、キーを使って文字を入力する操作については、従来のキーボードと比べて、タッチパネルでの入力は決してユーザーにとって使い勝手がよいものとなっていない。【０００４】
これは、ユーザーが携帯することを考慮した画面の大きさと、スタイラスペンと異なり先が太い人間の指先を使うという制約により、通常キーボードでは、押したときに入力が確定されるところを、指がリリースされたときに確定されることによる。このような中、タッチパネルを使って如何に誤りなく文字を高速に入力できるかが重要となってきている。【０００５】
例えば、図１２に示すように関連技術のタッチパネル機能付き携帯端末は、タッチパネルが施された表示装置のキーボード画面２００を使用して文字入力を行う場合において、キーボードのどのキー２１０が押されたかを示す吹き出し表示２２０を行うことで、指先１００により隠れた文字を示すとともに、隣り合うキー２１０を間違えて押す誤操作を防止する策がとられている。【０００６】
これは、ユーザーが携帯することを考慮し限られた大きさの画面の装置において、スタイラスペンなど先の尖ったものによる入力ではなく、太い指先による入力を可能とするための対策である。【０００７】
上記に関連して、特許文献１には、タッチパネルリモコン等のタッチパネル型操作装置において、制御キー毎の時間帯毎の接触回数を記憶し、記憶した接触回数に基づいて各制御キーの大きさ等の表示態様を切り替える技術が開示されている。これによれば、時間帯毎の操作頻度の高い制御キーのタッチ位置の範囲面積が広がり、キー押下ポイントを分散させることによりパネルの劣化や汚れの集中を防止可能とされている。
【先行技術文献】
【特許文献】
【０００８】
【特許文献１】特開２００９−２５８８１７号公報
【発明の概要】
【発明が解決しようとする課題】
【０００９】
上述した関連技術の方法では、押されているキーの吹き出しをユーザーが確認するため、指を画面にタッチした時点では入力が確定されず、指をリリースした時点で入力が確定されることになる。これにより、通常のキーボードのように、押した瞬間に入力が確定されないため、ユーザーは遅延を感じるとともに、通常のキーボードと同様に高速に文字入力ができないという欠点があった。【００１０】
また、特許文献１の技術は、使用頻度の高い順番、時間による押下頻度などの情報をもとにキーの配色、配置、大きさを変えたりするものであるが、パネルの劣化や汚れの集中を防止することを主目的とするものであるため、ユーザーが実際に文字入力する際に、画面上にどのようにキーを表示し、また、その表示をどのように切り替えるかといった文字入力の利便性を向上させるための具体的な解決策を意識したものではない。【００１１】
本発明の目的は、上記課題を解決し、目的のキーが選択しやすくなり、タッチ時点での確定を可能とし、ユーザーが文字入力する際の利便性が向上するとともに高速なキー入力を可能とするタッチパネル機能付き携帯端末及びその入力方法を提供することにある。
【課題を解決するための手段】
【００１２】
上記目的を達成するため、本発明に係るタッチパネル機能付き携帯端末は、複数のキーが配列されたキーボードを画面上に表示する表示部と、前記表示部の画面上でユーザーが触った場所を特定するタッチパネル部と、前記タッチパネル部により特定される場所と前記表示部の画面上に表示されるキーボードの各キーの場所とを照合してどのキーが押されたかを判断する制御部とを有し、前記制御部は、前記表示部の画面上におけるキーボードの各キーの表示状態を、ユーザーが押す可能性が低いキーと、ユーザーが押す可能性が高いキーとで異なるように制御することを特徴とする。【００１３】
本発明に係るタッチパネル機能付き携帯端末の入力方法は、複数のキーが配列されたキーボードを画面上に表示する表示部と、前記表示部の画面上でユーザーが触った場所を特定するタッチパネル部と、前記タッチパネル部により特定された場所と前記表示部の画面上に表示されるキーボードの各キーの場所とを照合してどのキーが押されたかを判断する制御部とを有するタッチパネル機能付き携帯端末の入力方法であって、前記制御部が、前記表示部の画面上におけるキーボードの各キーの表示状態を、ユーザーが押す可能性が低いキーと、ユーザーが押す可能性が高いキーとで異なるように制御することを特徴とする。
【発明の効果】
【００１４】
本発明によれば、目的のキーが選択しやすくなり、タッチ時点での確定を可能とし、ユーザーが文字入力する際の利便性が向上するとともに高速なキー入力を可能とするタッチパネル機能付き携帯端末及びその入力方法を提供することができる。
【図面の簡単な説明】
【００１５】
【図１】本発明の第１の実施の形態に係るタッチパネル機能付き携帯端末の構成を示す概略ブロック図である。
【図２】本発明の第１の実施の形態に係るタッチパネル機能付き携帯端末の動作を説明する図である。
【図３】本発明の第２の実施の形態に係るタッチパネル機能付き携帯端末の動作を説明する図である。
【図４】本発明の第２の実施の形態に係るタッチパネル機能付き携帯端末の動作を説明する概略フローチャートである。
【図５】本発明の第３の実施の形態に係るタッチパネル機能付き携帯端末の動作を説明する図である。
【図６】本発明の第４の実施の形態に係るタッチパネル機能付き携帯端末の動作を説明する図である。
【図７】本発明の第５の実施の形態に係るタッチパネル機能付き携帯端末の動作を説明する図である。
【図８】本発明の第６の実施の形態に係るタッチパネル機能付き携帯端末の動作を説明する図である。
【図９】本発明の第７の実施の形態に係るタッチパネル機能付き携帯端末の動作を説明する図である。
【図１０】（ａ）及び（ｂ）は、本発明の第８の実施の形態に係るタッチパネル機能付き携帯端末の動作を説明する図である。
【図１１】（ａ）及び（ｂ）は、本発明の第９の実施の形態に係るタッチパネル機能付き携帯端末の動作を説明する図である。
【図１２】関連技術のタッチパネル機能付き携帯端末の文字入力方法を説明する図である。
【発明を実施するための形態】
【００１６】
次に、本発明に係るタッチパネル機能付き携帯端末及びその入力方法の実施の形態について、図面を参照して詳細に説明する。
【００１７】
（第１の実施の形態）
図１を参照すると、本実施の形態に係るタッチパネル機能付き携帯端末の構成が示されている。
【００１８】
図１に示すタッチパネル機能付き携帯端末１０は、例えばタッチパネルが施された表示装置を有する携帯電話機、ＰＤＡ（Personal Digital Assistant）等の携帯情報端末や、両者の機能を併せ持つスマートフォン、平板状のタブレット型端末（タブレット型モバイル端末）等から構成される。この携帯端末１０は、ユーザーが携帯可能な大きさの所定形状（矩形状等）の本体（筐体）（非図示）を有し、その本体内に、タッチパネルが施された表示装置を構成する表示部１１及びタッチパネル部１２と、これらに接続されるＣＰＵ（Central Processing Unit）部１３とを有している。図１には、ＣＰＵ部１３に接続される他の構成要素として、例えば基地局との間で無線回線を経由して通信可能な送受信回路を有する無線通信部（非図示）等、既知の携帯端末が備えるものも含まれるが、説明の都合上省略している。
【００１９】
表示部１１は、文字入力用の複数のキーが配列されたキーボードを画面上に表示するキーボード表示部１１ａを有する。
【００２０】
タッチパネル部１２は、表示部１１の画面上のユーザーが指で触った場所を特定するためのもので、既知の抵抗膜方式や静電容量方式等、いずれの方式によるものでも適用可能である。
【００２１】
ＣＰＵ部１３は、例えばプログラム制御で動作するＣＰＵ及びその制御プログラム等を記憶するメモリを有し、ＣＰＵがメモリ内の制御プログラムを実行することにより、タッチパネル部１２の出力と表示部１１に表示しているキーボードの場所との両者を照合して、どのキーが押されたかを判断する動作を行う。また、ＣＰＵ部１３は、キーボード表示部１１ａの画面上に表示されるキーボードの各キーの表示状態を、ユーザーが押す可能性が低いキーと、ユーザーが押す可能性が高いキーとで異なるように制御する動作を行う。
この動作については以下に詳述する。
【００２２】
次に、図２を参照して、本実施の形態の動作を説明する。
【００２３】
図２に示すように、タッチパネル機能付き携帯端末１０は、キーボード表示部１１ａに表示されるキーボードの各キー１１１（所定の大きさのキー）の表示状態（図２の例では上段側の通常表示）から、日本語入力（ローマ字入力）などの文字入力（図２の例では下段側の日本語入力モード表示）の際に、押される可能性が低い文字のキー１１２は通常表示時の所定の大きさのキー１１１よりも小さく表示し、逆に押される可能性が高い文字のキー１１３を通常表示時の所定の大きさのキー１１１よりも大きく表示する。ここで、図２では、一例として、ＱＷＥＲＴＹ配列のキーボードの左側の一部のみを使用して説明しているが、本来キーボードのすべてのキー配列が必要となることはいうまでもない。また、ＱＷＥＲＴＹ配列に限らず、他の配列のキーボードにも適用可能である。
【００２４】
例えば、ＱＷＥＲＴＹ配列のキーボードを用いた日本語入力モード表示でのローマ字入力の場合、図２に示すキーボード表示部１１ａに表示されるキーボードの各キーにおいて、Ｑ、Ｗ、Ｆ、Ｚ、Ｘ、Ｃ、Ｖからはじめるローマ字表記はないため、これらの文字のキー１１２は、ユーザーが押す可能性が低いといえる。このため、ＣＰＵ部１３は、これらのユーザーが押す可能性が低い文字のキー１１２を通常表示時のキー１１１よりも小さく表示する。
【００２５】
逆に、図２に示すキーボード表示部１１ａに表示されるキーボードの各キーにおいて、Ｅ、Ｒ、Ｔ、Ａ、Ｓ、Ｄ、Ｇ、Ｂからはじめるローマ字表記はあるため、これらの文字のキー１１３は、ユーザーが押す可能性が高いといえる。このため、ＣＰＵ部１３は、これらのユーザーが押す可能性が高いキー１１３を、先ほど押される可能性が低いキー１１２を小さく表示した分の空いたスペースを利用して通常表示時のキー１１１よりも大きく表示する。
【００２６】
これにより、キーボードの各キーの内、ユーザーが意図したキーが選択しやすくなり、通常リリース時点で文字入力が確定されるところを、タッチ時点での確定を可能とし、ユーザーの文字入力の利便性を向上するとともに高速なキー入力を可能とする。
【００２７】
このようにして、本実施の形態によるタッチパネル機能付き携帯端末では、タッチパネルが施された表示装置のキーボード画面を使用して文字入力を行う場合において、日本語入力などの文字入力の際に、押される可能性が低い文字のキーは小さく表示し、逆に押される可能性が高い文字のキーを大きく表示する。
【００２８】
こうすることで、目的のキーが選択しやすくなり、通常リリース時点で文字入力が確定されるところを、タッチ時点での確定が可能となり、ユーザーがキーボード画面を用いて文字入力する際の利便性が大幅に向上するとともに高速なキー入力が可能となる。
【００２９】
なお、上記実施の形態では、日本語入力（ローマ字入力）を１つの例としているが、本発明はこれに限らず、カナ表記のキーボードを用いたカナ入力の場合や、英語入力、中国語入力のような日本語以外の他の言語を用いた文字入力の場合も含めて、ある入力条件のもと、次に押される可能性が高いキーと低いキーが存在するような場合についても、本発明にすべて含まれるものである。
【００３０】
例えば、文字入力の際に、入力される文字の使用頻度が予測可能な場合、例えば所定期間における文字入力用の辞書に登録されている単語の使用頻度を測定してＣＰＵ部内に記憶しておき、ＣＰＵ部が、その記憶データを用いて、キーボードの各キーを、ユーザーが押す可能性が高い文字のキーと低い文字のキーとに区分することが可能である場合等が含まれる。
【００３１】
また、上記実施の形態では、ユーザーが押す可能性が低いキーと高いキーとで各キーの大きさを変えているが、本発明はこれに限らず、目的のキーが選択しやすくなるような表示であれば、キーの大きさを変える以外でも、例えばキーの色（文字及び文字以外の枠内の色）、外枠の線の太さ等の表示状態を変えてもよい。
【００３２】
（第２の実施の形態）
次に、本発明の第２の実施の形態について説明する。本実施の形態に係るタッチパネル機能付き携帯端末は、第１の実施の形態において、ユーザーが押す可能性が低いと考えられるキーを押す場合も想定したものである。
【００３３】
この場合、図３に示すように、ＣＰＵ部が、ユーザーが押す可能性が低い文字のキー１１２を通常表示時のキー１１１よりも小さく表示し、逆に押される可能性が高い文字のキー１１３を通常表示時のキー１１１よりも大きく表示する日本語入力モード表示時に、表示部１１の画面上におけるキーボード表示部１１ａ以外の部分１１ｂを指１００でタッチすると、日本語入力モード表示から通常表示に即座に戻る動作を行う。
【００３４】
この一連の動作を図４のフローチャートに示す。図４のフローチャートに対応する制御プログラムは、例えばＣＰＵ部内のメモリに予め設定され、ＣＰＵ部内のＣＰＵにより実行される。
【００３５】
図４において、ＣＰＵ部は、日本語入力モード表示で（ステップＳｔ１）、キーが押される限り（ステップＳｔ２：Ｙｅｓ）、タッチされたキーの文字を入力する（ステップＳｔ３）。これにより、日本語入力モード表示のままで高速なキーボード入力が可能となる。
【００３６】
一方、ＣＰＵ部は、一旦、表示部１１の画面上におけるキーボード表示部１１ａ以外の部分１１ｂがタッチされると（ステップＳｔ２：Ｎｏ）、日本語入力モード表示から通常表示とし、キーボード表示部１１ａがタッチされない限り、この状態を継続させる（ステップＳｔ５：Ｎｏ）。
【００３７】
その後、ＣＰＵ部は、キーボード表示部１１ａのいずれかのキーが選択されると（ステップＳｔ５：Ｙｅｓ）、タッチされたキーの文字を入力し（ステップＳｔ６）、通常表示から日本語入力モード表示に復帰させる。
【００３８】
これにより、第１の実施の形態の効果に加え、ユーザーが押す可能性が低いキーも押しやすくなり、ユーザーがキーボード画面を用いて文字入力する際の利便性がより一層向上するといった効果も得られる。
【００３９】
（第３の実施の形態）
次に、本発明の第３の実施の形態について説明する。本実施の形態に係るタッチパネル機能付き携帯端末は、図５に示すように、ＣＰＵ部が、ユーザーが押す可能性が低いキー１１２を小さく表示するだけでなく、グレーアウト表示を行い、まったく押せなくしてしまう例である。
【００４０】
これにより、第１の実施の形態の効果に加え、キーを間違えて押す誤操作を効果的に抑制し、ユーザーがキーボード画面を用いて文字入力する際の利便性がより一層向上するといった効果も得られる。
【００４１】
（第４の実施の形態）
次に、本発明の第４の実施の形態について説明する。本実施の形態に係るタッチパネル機能付き携帯端末は、図６に示すように、ＣＰＵ部が、ユーザーが押す可能性が低いキー１１２を、まったく表示しない例である（図６中の点線部参照）。
【００４２】
これにより、第１の実施の形態の効果に加え、キーを間違えて押す誤操作を効果的に抑制し、ユーザーがキーボード画面を用いて文字入力する際の利便性がより一層向上するといった効果も得られる。
【００４３】
（第５の実施の形態）
次に、本発明の第５の実施の形態について説明する。本実施の形態に係るタッチパネル機能付き携帯端末は、図７に示すように、ＣＰＵ部が、表示部の画面上におけるキーボード表示部１１a以外の部分１１ｂをユーザーが触ったときには、ユーザーが押す可能性が低いキー１１２として小さく表示しているキーをユーザーが押したいものと判断する場合の例である。
【００４４】
この場合、ＣＰＵ部は、これまでユーザーが押す可能性が高いキー１１３として大きく表示してきたキーをユーザーが押す可能性が低いキー１１２として小さく表示し、これまでユーザーが押す可能性が低いキー１１２として小さく表示してきたキーをユーザーが押す可能性が低いキー１１２として大きく表示する。
【００４５】
これにより、第１の実施の形態の効果に加え、ユーザーがより目的のキーをより選択しやすくなり、ユーザーがキーボード画面を用いて文字入力する際の利便性がより一層向上するといった効果も得られる。
【００４６】
（第６の実施の形態）
次に、本発明の第６の実施の形態について説明する。本実施の形態に係るタッチパネル機能付き携帯端末は、図８に示すように、ＣＰＵ部が、キーボード表示部１１ａの画面上におけるキーボード自体の表示は、通常表示と変わらないが、タッチパネル部を押した部分に対して、どのキーがおされたかを判断するためのエリア自体を大きくしたり、小さくしたりする例である。
【００４７】
図８において、実線で表示されているのが、画面の表示上のキーを現しており、薄い塗りつぶしのエリア１２１、１２２が、内部的にＣＰＵ部がそのキーが押されたと判断するエリアの広さをしめしている。この場合も、見た目のキー表示は変わらないが、これまで説明してきた動作と同様な効果をもたらすことが可能である。
【００４８】
（第７の実施の形態）
次に、本発明の第７の実施の形態について説明する。本実施の形態に係るタッチパネル機能付き携帯端末は、複数の文字入力モード、例えば日本語入力（ローマ字入力）、英語入力、中国語入力を切り替えることができるタッチパネル機能付き携帯端末に適用したものである。
【００４９】
この場合、例えば図９に示すような対応表に、日本語入力（ローマ字入力）、英語入力、中国語入力等の文字入力モード毎に、ユーザーが押す可能性が高いキーと低いキーとを予め設定する。この対応表に従い、ＣＰＵ部が、該当する文字入力モード毎にユーザーが押す可能性が低いキーと高いキーとを判断し、前述と同様にユーザーが押す可能性が低いキーを通常表示時のキーよりも小さく表示し、ユーザーが押す可能性が高いキーを通常表示時のキーよりも大きく表示する。
【００５０】
これにより、ユーザーがキーボード画面を用いて文字入力する際の利便性がより一層向上すると共に、複数の文字入力モードに対応したより柔軟性の高いタッチパネル機能付き携帯端末を提供することが可能となる。
【００５１】
（第８の実施の形態）
次に、本発明の第８の実施の形態について説明する。
【００５２】
本実施の形態に係るタッチパネル機能付き携帯端末は、図１０（ａ）に示すように、次に押されることが予測される文字を予測して、その文字のキーを次に押す可能性が高いキー１１３として、通常表示時のキーよりも大きく表示し、その他の文字のキーを次に押す可能性が低いキー１１２として、通常表示時のキーよりも小さく表示する例である。
【００５３】
この例では、例えば図１０（ｂ）に示すような対応表に、ユーザーが押したキー毎に、次にユーザーが押す可能性が高いキーと低いキーとを予め設定する。この対応表に従い、ＣＰＵ部が、ユーザーが押したキー毎にユーザーが次に押す可能性が高いキーと低いキーとを判断し、前述と同様にユーザーが次に押す可能性が低いキーを通常表示時のキーよりも小さく表示し、ユーザーが次に押す可能性が高いキーを通常表示時のキーよりも大きく表示する。
【００５４】
これにより、次に押されることが予測される文字を予測して、その文字のキーを大きく表示することにより、ユーザーがキーボード画面を用いて文字入力する際の利便性がより一層向上するといった効果が得られる。
【００５５】
（第９の実施の形態）
次に、本発明の第９の実施の形態について説明する。本実施の形態に係るタッチパネル機能付き携帯端末は、タッチパネルの指を近づけた部分を検出し得る携帯端末に適用したものである。この例では、ＣＰＵ部が、タッチパネル部の指を近づけた部分を判断し、その部分にあるキーを次に押す可能性が高いキーとして、通常表示時のキーよりも大きく表示する。
【００５６】
この場合、ＣＰＵ部は、指を近づけた部分にあるキーに加え、その部分の周辺部にあるキーも通常表示時のキーよりも大きく表示してもよい。
【００５７】
例えば、その一例として、図１１（ａ）に示すように、ＣＰＵ部が、指１００を近づけた部分にあるキー１１３ａとその部分の周辺にあるキー１１３ｂとを通常表示時のキーよりも大きく表示すると同時に、それにより圧迫された更にその周辺の領域にあるキー１１２を縮小させてもよい。
【００５８】
また、図１１（ｂ）に示すように、ＣＰＵ部が、指１００を近づけた部分にあるキー１１３ａとその部分の周辺にあるキー１１３ｂとを通常表示時のキーよりも大きく表示するために、更にその周辺の領域にあるキー１１２を隠してもよい。
【００５９】
これにより、タッチパネルの指を近づけた部分を検出し得る携帯端末において、ユーザーがキーボード画面を用いて文字入力する際の利便性がより一層向上するといった効果が得られる。
【００６０】
なお、上記のタッチパネル機能付き携帯端末及びその入力方法は、ハードウェア、ソフトウェア又はこれらの組合せにより実現することができる。この場合のハードウェア、ソフトウェア構成は特に限定されるものではなく、上述した機能を実現可能なものであれば、いずれの形態でも適用可能である。
【００６１】
上記の実施形態の一部又は全部は、以下の付記のようにも記載されうるが、以下には限定されない。
【００６２】
（付記１）複数のキーが配列されたキーボードを画面上に表示する表示部と、前記表示部の画面上でユーザーが触った場所を特定するタッチパネル部と、前記タッチパネル部により特定される場所と前記表示部の画面上に表示されるキーボードの各キーの場所とを照合してどのキーが押されたかを判断する制御部とを有し、前記制御部は、前記表示部の画面上におけるキーボードの各キーの表示状態を、ユーザーが押す可能性が低いキーと、ユーザーが押す可能性が高いキーとで異なるように制御することを特徴とするタッチパネル機能付き携帯端末。
【００６３】
（付記２）前記制御部は、前記表示部の画面上におけるキーボードの各キーの表示状態を、前記ユーザーが押す可能性が低いキーを所定の大きさよりも小さく表示し、前記ユーザーが押す可能性が高いキーを前記所定の大きさよりも大きく表示するように制御することを特徴とする付記１に記載のタッチパネル機能付き携帯端末。
【００６４】
（付記３）前記制御部は、前記表示部の画面上におけるキーボードの各キーの表示状態を、前記ユーザーが押す可能性が低いキーをグレーアウト表示とし、前記ユーザーが押す可能性が高いキーを所定の大きさよりも大きく表示するように制御することを特徴とする付記１に記載のタッチパネル機能付き携帯端末。
【００６５】
（付記４）前記制御部は、前記表示部の画面上におけるキーボードの各キーの表示状態を、前記ユーザーが押す可能性が低いキーを非表示とし、前記ユーザーが押す可能性が高いキーを所定の大きさよりも大きく表示するように制御することを特徴とする付記１に記載のタッチパネル機能付き携帯端末。
【００６６】
（付記５）前記制御部は、前記表示部の画面上におけるキーボードの各キーの表示状態を、前記ユーザーが前記小さく表示されたキーを押したい場合に、前記表示部の画面上のキーボード以外の場所を触ると前記所定の大きさのキーに戻るように制御することを特徴とする付記２に記載のタッチパネル機能付き携帯端末。
【００６７】
（付記６）前記制御部は、前記表示部の画面上におけるキーボードの各キーの表示状態を、前記ユーザーが前記グレーアウト表示されたキーを押したい場合に、前記表示部の画面上におけるキーボード以外の場所を触ると前記所定の大きさのキーに戻るように制御することを特徴とする付記３に記載のタッチパネル機能付き携帯端末。
【００６８】
（付記７）前記制御部は、前記表示部の画面上におけるキーボードの各キーの表示状態を、前記ユーザーが前記非表示されたキーを押したい場合に、前記表示部の画面上におけるキーボード以外の場所を触ると前記所定の大きさのキーに戻るように制御することを特徴とする付記４に記載のタッチパネル機能付き携帯端末。
【００６９】
（付記８）前記制御部は、前記表示部の画面上におけるキーボードの各キーの表示状態を、前記ユーザーが前記小さく表示されたキーを押したい場合に、前記表示部の画面上におけるキーボード以外の場所を触ると、これまで大きく表示してきたキーを前記所定の大きさよりも小さく表示し、これまで小さく表示してきたキーを前記所定の大きさよりも大きく表示するトグル表示を行うように制御することを特徴とする付記２に記載のタッチパネル機能付き携帯端末。
【００７０】
（付記９）前記制御部は、前記表示部の画面上にキーボードの各キーを所定の大きさで表示すると共に、前記タッチパネル部により特定される場所と前記表示部に表示されるキーボードの各キーの場所とを照合してどのキーが押されたかを判断するためのエリア自体の大きさを、ユーザーが押す可能性が低いキーと、ユーザーが押す可能性が高いキーとで異なるように制御することを特徴とする付記１に記載のタッチパネル機能付き携帯端末。
【００７１】
（付記１０）複数のキーが配列されたキーボードを画面上に表示する表示部と、前記表示部の画面上でユーザーが触った場所を特定するタッチパネル部と、前記タッチパネル部により特定された場所と前記表示部の画面上に表示されるキーボードの各キーの場所とを照合してどのキーが押されたかを判断する制御部とを有するタッチパネル機能付き携帯端末の入力方法であって、前記制御部が、前記表示部の画面上におけるキーボードの各キーの表示状態を、ユーザーが押す可能性が低いキーと、ユーザーが押す可能性が高いキーとで異なるように制御することを特徴とするタッチパネル機能付き携帯端末の入力方法。
【００７２】
（付記１１）前記制御部が、前記表示部の画面上におけるキーボードの各キーの表示状態を、前記ユーザーが押す可能性が低いキーを所定の大きさよりも小さく表示し、前記ユーザーが押す可能性が高いキーを前記所定の大きさよりも大きく表示するように制御することを特徴とする付記１０に記載のタッチパネル機能付き携帯端末の入力方法。
【００７３】
（付記１２）前記制御部が、前記表示部の画面上におけるキーボードの各キーの表示状態を、前記ユーザーが押す可能性が低いキーをグレーアウト表示とし、前記ユーザーが押す可能性が高いキーを所定の大きさよりも大きく表示するように制御することを特徴とする付記１０に記載のタッチパネル機能付き携帯端末の入力方法。
【００７４】
（付記１３）前記制御部が、前記表示部の画面上におけるキーボードの各キーの表示状態を、前記ユーザーが押す可能性が低いキーを非表示とし、前記ユーザーが押す可能性が高いキーを所定の大きさよりも大きく表示するように制御することを特徴とする付記１０に記載のタッチパネル機能付き携帯端末の入力方法。
【００７５】
（付記１４）前記制御部が、前記表示部の画面上におけるキーボードの各キーの表示状態を、前記ユーザーが前記小さく表示されたキーを押したい場合に、前記表示部の画面上のキーボード以外の場所を触ると前記所定の大きさのキーに戻るように制御することを特徴とする付記１１に記載のタッチパネル機能付き携帯端末の入力方法。
【００７６】
（付記１５）前記制御部が、前記表示部の画面上におけるキーボードの各キーの表示状態を、前記ユーザーが前記グレーアウト表示されたキーを押したい場合に、前記表示部の画面上におけるキーボード以外の場所を触ると前記所定の大きさのキーに戻るように制御することを特徴とする付記１２に記載のタッチパネル機能付き携帯端末の入力方法。
【００７７】
（付記１６）前記制御部が、前記表示部の画面上におけるキーボードの各キーの表示状態を、前記ユーザーが前記非表示されたキーを押したい場合に、前記表示部の画面上におけるキーボード以外の場所を触ると前記所定の大きさのキーに戻るように制御することを特徴とする付記１３に記載のタッチパネル機能付き携帯端末の入力方法。
【００７８】
（付記１７）前記制御部が、前記表示部の画面上におけるキーボードの各キーの表示状態を、前記ユーザーが前記小さく表示されたキーを押したい場合に、前記表示部の画面上におけるキーボード以外の場所を触ると、これまで大きく表示してきたキーを前記所定の大きさよりも小さく表示し、これまで小さく表示してきたキーを前記所定の大きさよりも大きく表示するトグル表示を行うように制御することを特徴とする付記１１に記載のタッチパネル機能付き携帯端末の入力方法。
【００７９】
（付記１８）前記制御部が、前記表示部の画面上にキーボードの各キーを所定の大きさで表示すると共に、前記タッチパネル部により特定される場所と前記表示部に表示されるキーボードの各キーの場所とを照合してどのキーが押されたかを判断するためのエリア自体の大きさを、ユーザーが押す可能性が低いキーと、ユーザーが押す可能性が高いキーとで異なるように制御することを特徴とする付記１０に記載のタッチパネル機能付き携帯端末の入力方法。
【００８０】
以上、実施の形態を参照して本願発明を説明したが、本願発明は上記実施の形態に限定されるものではない。本願発明の構成や詳細には、本願発明のスコープ内で当業者が理解し得る様々な変更をすることができる。
【００８１】
この出願は、２０１０年３月２６日に出願された日本出願特願２０１０−０７１９３０号を基礎とする優先権を主張し、その開示の全てをここに取り込む。
【産業上の利用可能性】
【００８２】
以上説明したように、本発明は、タッチパネル機能付き携帯端末及びその入力方法などの用途に利用可能である。
【符号の説明】
【００８３】
１０  タッチパネル機能付き携帯端末
１１  表示部
１１ａ  キーボード表示部
１２  タッチパネル部
１３  ＣＰＵ部
１１１  通常表示時のキー
１１２  ユーザーが押す可能性が低いキー
１１３  ユーザーが押す可能性が高いキー
【図１】
2011118602.tif 000003
【図２】
2011118602.tif 000004
【図３】
2011118602.tif 000005
【図４】
2011118602.tif 000006
【図５】
2011118602.tif 000007
【図６】
2011118602.tif 000008
【図７】
2011118602.tif 000009
【図８】
2011118602.tif 000010
【図９】
2011118602.tif 000011
【図１０】
2011118602.tif 000012
【図１１】
2011118602.tif 000013
【図１２】
2011118602.tif 000014
【国際調査報告】
2011118602.tif 000015
2011118602.tif 000016